(57)【要約】【課題】  表示面を隠すようにモニターを収納し、表示面が油や蒸気などで汚れるのを防ぐこと。【解決手段】  キッチンキャビネットの上方に設けられた吊戸棚（１）から吊り下げてモニター（２）が取り付けられたシステムキッチンであり、モニターが表示面（３）を上方に向けて収納可能とされている。【選択図】図１
2005270339.tif 000002
【特許請求の範囲】
【請求項１】
キッチンキャビネットの上方に設けられた吊戸棚から吊り下げてモニターが取り付けられたシステムキッチンであり、モニターが表示面を上方に向けて収納可能とされていることを特徴とするシステムキッチン。
【請求項２】
モニターは、垂直方向回動機構を介して吊戸棚の下面部に配設され、垂直方向に回動して収納可能とされている請求項１記載のシステムキッチン。
【請求項３】
モニターは、垂直方向回動機構および水平方向回動機構を介して吊戸棚の下面部に配設され、垂直方向および水平方向に回動して収納可能とされている請求項１記載のシステムキッチン。
【請求項４】
モニターは、前後方向移動機構および垂直方向回動機構を介して吊戸棚の下面部に配設され、前後方向に移動するとともに垂直方向に回動して収納可能とされている請求項１記載のシステムキッチン。
【発明の詳細な説明】
【技術分野】
【０００１】
この出願の発明は、システムキッチンに関するものである。さらに詳しくは、この出願の発明は、表示面を隠すようにモニターを収納することのできるシステムキッチンに関するものである。
【背景技術】
【０００２】
レシピやテレビなどを見ながら調理することができるようにしたシステムキッチンが知られている（たとえば、特許文献１参照）。このシステムキッチンでは、キッチンキャビネットの上方に設けられた吊戸棚にモニターが吊り下げられて取り付けられている。
【特許文献１】特開２００２−２３８６７５号公報
【発明の開示】
【発明が解決しようとする課題】
【０００３】
しかしながら、これまでのモニター付きのシステムキッチンでは、モニターは常時吊戸棚の下方に位置し、表示面を隠すように収納することはできなかった。したがって、調理時などに発生する油や蒸気などが表示面にかかり、汚れがつきやすいという問題があった。
【０００４】
この出願の発明は、このような事情に鑑みてなされたものであり、モニターの表示面が油や蒸気などで汚れるのを防ぐことのできるシステムキッチンを提供することを解決すべき課題としている。
【課題を解決するための手段】
【０００５】
この出願の発明は、上記の課題を解決するものとして、第１には、キッチンキャビネットの上方に設けられた吊戸棚から吊り下げてモニターが取り付けられたシステムキッチンであり、モニターが表示面を上方に向けて収納可能とされていることを特徴とするシステムキッチンを提供する。
【０００６】
この出願の発明は、第２には、上記第１のシステムキッチンにおいて、モニターは、垂直方向回動機構を介して吊戸棚の下面部に配設され、垂直方向に回動して収納可能とされているシステムキッチンを提供する。
【０００７】
この出願の発明は、第３には、上記第１のシステムキッチンにおいて、モニターは、垂直方向回動機構および水平方向回動機構を介して吊戸棚の下面部に配設され、垂直方向および水平方向に回動して収納可能とされているシステムキッチンを提供する。
【０００８】
この出願の発明は、第４には、上記第１のシステムキッチンにおいて、モニターは、前後方向移動機構および垂直方向回動機構を介して吊戸棚の下面部に配設され、前後方向に移動するとともに垂直方向に回動して収納可能とされているシステムキッチンを提供する。
【発明の効果】
【０００９】
この出願の発明の第１ないし第４いずれか１つのシステムキッチンによれば、表示面を隠すようにモニターを収納することができる。モニターの表示面が、調理時などに発生する油や蒸気などにより汚れるのが抑制される。
【発明を実施するための最良の形態】
【００１０】
以下、図面に沿ってこの出願の発明のシステムキッチンについてさらに詳しく説明する。
【００１１】
図１は、この出願の発明のシステムキッチンの一実施形態を示した側面図、底面図、正面図である。
【００１２】
この出願の発明のシステムキッチンでは、図１に示したように、キッチンキャビネットの上方に設けられた吊戸棚（１）から吊り下げられてモニター（２）が取り付けられている。そして、この出願の発明のシステムキッチンでは、モニター（２）は、表示面（３）を上方に向けて収納可能とされている。したがって、収納時には、モニター（２）の表示面（３）は、たとえば吊戸棚（１）の下面部などに隠され、この状態において、調理作業などを行っても、その際に発生する油や蒸気などが表示面（３）にかかることはない。モニター（２）の表示面（３）は汚れがつきにくくなる。
【００１３】
モニター（２）の表示面（３）を上方に向けて収納する方式については幾つか考えられる。そのうちの代表的なものを以下に示す。
【００１４】
たとえば、図１に示したように、モニター（２）を垂直方向回動機構（４）を介して吊戸棚（１）の下面部に配設し、垂直方向に回動させて収納可能とすることが例示される。この方式の場合、モニター（２）を収納する際には、モニター（２）を垂直方向回動機構（４）により前方および上方に回動させることによって、表示面（３）を上方に向けてモニター（２）を吊戸棚（１）の下面部に収納することができる。
【００１５】
また、図２に示したような方式も考えられる。この図２に示した方式では、モニター（２）は、垂直方向回動機構（４）および水平方向回動機構（５）を介して吊戸棚（１）の下面部に配設されている。したがって、モニター（２）は、垂直方向と水平方向の両方向の回動が可能とされている。この方式の場合には、次のようにして表示面（３）を上方に向けてモニター（２）を吊戸棚（１）の下面部に収納することができる。
【００１６】
すなわち、モニター（２）を水平方向回動機構（５）により水平方向に回転させ、180°反転させる。次いで、垂直方向回動機構（４）によりモニター（２）を後方および上方に向けて回動させる。すると、表示面（３）が上方を向いてモニター（２）が吊戸棚（１）の下面部に収納される。
【００１７】
さらに、図３に示したような方式も考えられる。この図３に示した方式では、モニター（２）は、前後方向移動機構（６）および垂直方向回動機構（４）を介して吊戸棚（１）の下面部に配設されている。したがって、モニター（２）は、前後方向の移動と垂直方向の回動が可能とされている。モニター（２）を収納する際には、前後方向移動機構（６）によりモニター（２）を後方へ移動させる。この後、モニター（２）を垂直方向回動機構（４）により前方および上方に向けて回動させる。すると、表示面（３）が上方を向いてモニター（２）が吊戸棚（１）の下面部に収納される。
【００１８】
さらにまた、図４に示したような方式も考えられる。この図４に示した方式では、モニター（２）は、垂直方向回動機構（４）およびリンク機構（７）を介して吊戸棚（１）の下面部に配設され、垂直方向の回動と前後方向の移動が可能とされている。モニター（２）を収納する際には、モニター（２）を後方へ押し込みながら前方および上方へ回動させる。すると、表示面（３）が上方を向いてモニター（２）が吊戸棚（１）の下面部に収納される。
【００１９】
もちろん、この出願の発明は、以上の実施形態によって限定されるものではない。垂直方向回動機構、水平方向回動機構、前後方向移動機構の具体的な構成については様々な態様が可能であることはいうまでもない。
【図面の簡単な説明】
【００２０】
【図１】この出願の発明のシステムキッチンの一実施形態を示した側面図、底面図、正面図である。
【図２】この出願の発明のシステムキッチンの一実施形態を示した側面図、底面図、正面図である。
【図３】この出願の発明のシステムキッチンの一実施形態を示した側面図、底面図、正面図である。
【図４】この出願の発明のシステムキッチンの一実施形態を示した側面図、底面図、正面図である。
【符号の説明】
【００２１】
１    吊戸棚
２    モニター
３    表示面
４    垂直方向回動機構
５    水平方向回動機構
６    前後方向移動機構
７    リンク機構
【図１】
2005270339.tif 000003
【図２】
2005270339.tif 000004
【図３】
2005270339.tif 000005
【図４】
2005270339.tif 000006